(57)【要約】【課題】テープ等の別資材を用いることなく展示効果に優れる集積包装体を提供することである。【解決手段】内容物を収納すると共に、その一方の面に第１熱接着性樹脂層を備えた基材層と、該基材層の他方の面の少なくとも最外層に第２熱接着性樹脂層を備えた積層体を前記第１熱接着性樹脂層が表出するように周縁熱接着部で密封した２以上の同形状、同寸法の包装袋を、該包装袋の前記周縁熱接着部同士を対向させた状態で前記周縁熱接着部同士を剥離可能に熱接着したことを特徴とする集積包装体。【選択図】        図１
2004217236.tif 000002
【特許請求の範囲】
【請求項１】
内容物を収納すると共に周縁熱接着部で密封した２以上の同形状、同寸法の包装袋を、該包装袋の前記周縁熱接着部同士を対向させた状態で前記周縁熱接着部同士を剥離可能に熱接着したことを特徴とする集積包装体。
【請求項２】
前記包装袋が、その一方の面に第１熱接着性樹脂層を備えた基材層と、該基材層の他方の面の少なくとも最外層に第２熱接着性樹脂層を備えた積層体を前記第１熱接着性樹脂層が表出するように前記周縁熱接着部で密封した袋であることを特徴とする請求項１記載の集積包装体。
【発明の詳細な説明】
【０００１】
【発明の属する技術分野】
本発明は、食品等の内容物を個包装した包装袋からなる製品を複数個纏めて一括販売するための集積包装製品に関するものである。
【０００２】
【従来の技術】
従来から、即席麺、ふりかけ、即席味噌汁等のインスタント食品等は、ピロータイプや三方あるいは四方シールタイプの包装袋に収容され、広く市販されている。また、これらの商品は、所定個数を外装袋に収容したり、シュリンクフィルムなどでラッピングしたりして集積包装され、徳用品として広く市販されている。
【０００３】
徳用品としての販売形態は、販売者にとっては販売量を増やす利点があり、また、購入者にとっては１個当たりの購入価格が安くなる利点があり、双方にとって利点があることから今後もこういった販売形態が増大する方向にある。
【０００４】
しかしながら、こういった包装形態は、過剰包装の感があると共に集積包装するための外装袋やシュリンクフィルムはゴミ量の増大に繋がるといった問題があった。
【０００５】
そこで、過剰包装の感がなく、ゴミ量の増大を抑えることができる集積包装形態が要望されるようになり、この要望に応える集積包装体が色々と提案されている（たとえば、特許文献１、２、３、４参照）
【０００６】
しかし、いずれの特許文献に記載された集積包装体も、接着テープ等のテープにより集積包装するものであり、確かに過剰包装の感がなく、ゴミ量も抑えることができる集積包装体ではあるが、テープという別資材が必要であり、また、外観においても好ましい態様とは言い難いものであった。
【０００７】
【特許文献１】
実用新案登録第３０８７２０９号公報
【特許文献２】
実開平５−６６３号公報
【特許文献３】
特開平１１−３４２９７４号公報
【特許文献４】
特開２００２−１９８２６
【０００８】
【発明が解決しようとする課題】
そこで本発明は、テープ等の別資材を用いることなく展示効果に優れる集積包装体を提供することである。
【０００９】
【課題を解決するための手段】
本発明者は、上記課題を達成するために、請求項１記載の本発明の集積包装体は、内容物を収納すると共に周縁熱接着部で密封した２以上の同形状、同寸法の包装袋を、該包装袋の前記周縁熱接着部同士を対向させた状態で前記周縁熱接着部同士を剥離可能に熱接着したことを特徴とするものである。
【００１０】
また、請求項２記載の本発明は、請求項１記載の集積包装体において、前記包装袋が、その一方の面に第１熱接着性樹脂層を備えた基材層と、該基材層の他方の面の少なくとも最外層に第２熱接着性樹脂層を備えた積層体を前記第１熱接着性樹脂層が表出するように前記周縁熱接着部で密封した袋であることを特徴とするものである。
【００１１】
請求項１、２のいずれかに記載の構成とすることにより、別資材を用いることなく、展示効果に優れる集積包装体とすることができる。
【００１２】
【発明の実施の形態】
上記の本発明について、図面等を用いて以下に詳述する。
図１は本発明にかかる集積包装体の一実施例を示す斜視図、図２は図１の集積する前の包装袋の斜視図、図３は図２に示す包装袋の層構成の一実施例を図解的に示す図、図４は本発明にかかる集積包装体の他の実施例を示す斜視図であり、図中の１，１’は集積包装体、２はスタンディングパウチ、３は周縁熱接着部、３’は天部熱接着部、３”は剥離可能熱接着部、４は４ピラータイプのガセット袋、２０は積層体、２１は第１熱接着性樹脂層、２２は基材層、２３は第２熱接着性樹脂層をそれぞれ示す。
【００１３】
図１は本発明にかかる集積包装体の一実施例を示す斜視図、図２は図１の集積する前の包装袋の斜視図であって、集積包装体１は内容物（図示せず）を収納して周縁熱接着部３で密封した周知の底部にガセット折込部（図示せず）を有する同寸法の２袋のスタンディングパウチ２、２を該スタンディングパウチ２、２の前記周縁熱接着部３、３の一つである天部熱接着部３’、３’同士を対向させた状態で前記天部熱接着部３’、３’同士を剥離可能熱接着部３”で剥離可能に熱接着したものである。なお、図１上において前記天部熱接着部３’、３’を幅広（ラベルシール状）に形成したものを示したが、図示はしないが幅狭に形成したものであってもよいものである。
【００１４】
前記スタンディングパウチ２とするための積層体としては図２に示すように、その一方の面に第１熱接着性樹脂層２１を備えた基材層２２と、該基材層２２の他方の面の少なくとも最外層に第２熱接着性樹脂層２３を備えた積層体２０であって、該積層体２０を前記第１熱接着性樹脂層２１が表出するように前記周縁熱接着部３で密封することによりスタンディングパウチ２とすることができる。
【００１５】
前記積層体２０を構成する前記基材層２２としては、ポリプロピレン、ポリエステル、ポリアミド等の一軸ないし二軸方向に延伸したフィルムが適当である。また、前記基材層２２の袋としたときの表出面となる面に形成する前記第１熱接着性樹脂層２１としては、剥離可能に熱接着する周縁熱接着部、たとえば、上記した天部熱接着部３’、３’の表出面に少なくとも形成されていればよいのであって、前記基材層２２の包装袋（図１上においてはスタンディングパウチ２）としたときの剥離可能に熱接着する周縁熱接着部、たとえば、上記した天部熱接着部３’、３’の表出面となる部分に部分的に形成するか、ないし、前記基材層２２の包装袋（図１上においてはスタンディングパウチ２）としたときの表出面となる面全面に形成するかのいずれかを採ることができるものであり、前記基材層２２を構成する樹脂により前記第１熱接着性樹脂層２１を形成する樹脂を適宜選択して用いればよいものである。
【００１６】
前記第１熱接着性樹脂層２１を部分的に形成する場合は、前記第１熱接着性樹脂層２１を形成する面と反対の前記基材層２２面に通常は美麗な印刷層が設けられるものであり、この印刷層と見当を合わせて形成する必要があり、通常は前記印刷層と同時にインラインでグラビア印刷法で形成される。たとえば、前記基材層２２がポリプロピレンである場合は塩素化ポリプロピレン等の周知のパートコート剤を用いて形成することができるし、また、前記基材層２２がポリエステルないしポリアミドである場合は、アクアテックスＥＣ−１７００〔中央理化工業（株）：商品名〕等の周知のパートコート剤を用いて形成することができる。また、前記第１熱接着性樹脂層２１は、２袋のスタンディングパウチ２、２を分離するという意識操作をしない限りにおいては剥離することがなく、分離するという意識操作をした際に前記基材層２２が破壊することなく、スムーズに分離することができる接着強度であればよいのであって、その接着強度としては概ね１〜１０Ｎ／１５ｍｍ巾、好ましくは３〜６Ｎ／１５ｍｍ巾であり、前記第１熱接着性樹脂の塗布量で制御するなり、あるいは、２袋を集積して熱接着する際の熱と圧力を調節することにより制御するなりすることにより上記範囲の接着強度を得ることができる。また、前記剥離可能熱接着部３”は、必要に応じて、部分的に凹部を有するシールバーと該凹部に係合する凸部を有するシールバーを用いて熱接着することにより形成するようにしたものであってもよいし、熱接着すると同時に積層した複数の袋に貫通孔を形成するようにしたものであってもよいものである。なお、前記基材層２２は必要に応じて一方の面ないし両面にコロナ放電処理やアンカー剤塗布等の適宜の易接着処理を施すことができる。
【００１７】
また、前記第１熱接着性樹脂層２１を前記基材層２２の面全面に形成する場合は、上記した前記第１熱接着性樹脂層２２を部分的に形成する場合と同じ樹脂で形成してもよいが、剥離可能に容易に接着することができることとコストを勘案すると上市されている、たとえば、ＨＳ−ＯＰ〔東セロ（株）製：商品名〕、ＦＯＨ〔二村化学工業（株）製：商品名〕、あるいは、メリネックス８５０〔三井デユポンポリケミカル（株）製：商品名〕などを好適に用いることができる。
【００１８】
また、前記基材層２２の前記第１熱接着性樹脂層２１を形成した面の反対面の最外層、実際には包装袋（図１上においてはスタンディングパウチ２）としたときの最内層に形成する第２熱接着性樹脂層２３としては、包装袋（図１上においてはスタンディングパウチ２）とするときに熱と圧とで確実に密封できる熱可塑性樹脂で形成されていればよいものであるが、好ましくは前記第１熱接着性樹脂層２１を形成する樹脂よりも低温接着性である樹脂であり、前記第１熱接着性樹脂層２１を形成する樹脂により適宜選択する必要があるが、例示するならば線状低密度ポリエチレン、より好ましくはシングルサイト触媒を用いて重合したエチレン−αオレフィン共重合体（線状低密度ポリエチレン）ないしこれらをフィルム化した単層のものなどを挙げることができる。
【００１９】
また、前記積層体２０は、包装袋（図１上においてはスタンディングパウチ２）としたときの要求物性により、前記基材層２２と前記第２熱接着性樹脂層２３との間に必要に応じて、機械的強靭性、耐屈曲性、耐突き刺し性、耐衝撃性、耐寒性、耐熱性、耐薬品性、バリアー性等の機能を付与ないし向上させル目的で、たとえば、ポリエステル系、ポリアミド系、ポリプロピレン系等の樹脂からなる一軸ないし二軸方向に延伸した延伸フィルムや未延伸フィルムないしこれらの少なくとも一方の面にアルミニウムや酸化珪素や酸化アルミニウム、ポリ塩化ビニリデン等の水蒸気や酸素ガスバリアー層を設けたもの、あるいは、アルミニウム箔やエチレン−酢酸ビニル共重合体ケン化物などからなるものを中間層（図示せず）として使用することができる。
【００２０】
なお、前記積層体２０の積層方法としては、Ｔダイ押出機を用いてポリエチレン等を加熱溶融押出しして各層をサンドイッチラミネーションする方法、あるいは、ウレタン系等の接着剤を用いてドライラミネーションする方法等周知の適宜の積層方法を用いることができる。
【００２１】
なお、前記スタンディングパウチ２は、パウチの胴部と底部とを異なる積層体で構成する場合（いわゆる、２ピース仕様）にあっては、底部に用いる積層体は前記第１熱接着性樹脂層２１を設けない構成とするのが適当である。また、今までは、本発明の集積包装体１をスタンディングパウチで説明してきたが、本発明の集積包装体１としては、スタンディングパウチに限ることはなく、たとえば、ピロータイプ、三方シールや四方シールタイプ、あるいは、ガセット袋や該ガセット袋の４つの稜線を熱接着した４ピラータイプのガセット袋、あるいは、絞り成形の浅いブリスターパックなどにも適用できるものである。また、本発明の集積包装体の集積数として今までは２袋ということで説明してきたが、特にこれに限定するものではなく可能な限り集積すればよいものであるが、図１に示したような集積形態の場合、実用上は２〜５袋が適当である。また、集積包装体とするための剥離可能に熱接着する位置は、包装袋の形態により適宜な位置（適宜な周縁熱接着部）を熱接着すればよいものであり、図１で説明したような天部熱接着部（図１上の符号３’で示した位置）に限るものではなく、図示はしないが、たとえば、ピロータイプ、三方シールや四方シールタイプ等のような対向する位置に周縁熱接着部を有する包装袋にあっては、第ｎ番目の包装袋の一方の周縁熱接着部と第（ｎ＋１）番目の包装袋の他方の周縁熱接着部とを剥離可能に熱接着して連帯状の集積包装体としてもよいし、チェーン状（鎖状）の集積包装体としてもよいものであり、さらには図４に示すようにガセット袋の４つの稜線等を熱接着した周縁熱接着部３で密封した４ピラータイプのガセット袋４を天部熱接着部３’を交互に３袋重ね合わせ、４つの稜線を熱接着した周縁熱接着部３で互いに当接する前記周縁熱接着部３同士の略中央部を剥離可能熱接着部３”で剥離可能に熱接着した集積包装体１’としてもよいものである。図４においては３袋を交互に重ね合わせた実施例を示したが、これは一例を示したものであって、重ね合わせる袋数は適宜決めればよいものである。
【００２２】
【発明の効果】
以上縷々説明したように、本発明の集積包装体は、包装袋の表出面が熱接着性を有する第１熱接着性樹脂層で形成されているために、テープ等の別資材を用いることなく、単に包装袋同士を重ね合わせて熱と圧を所定個所に加えることにより容易に集積することができるのみならず、テープ等の別資材といった異質なもの使用することなく集積することができるために展示効果においても優れるという効果を奏するものである。
【図面の簡単な説明】
【図１】本発明にかかる集積包装体の一実施例を示す斜視図である。
【図２】図１の集積する前の包装袋の斜視図である。
【図３】図２に示す包装袋の層構成の一実施例を図解的に示す図である。
【図４】本発明にかかる集積包装体の他の実施例を示す斜視図である。
【符号の説明】
１，１’                      集積包装体
２                            スタンディングパウチ
３                            周縁熱接着部
３’                          天部熱接着部
３”                          剥離可能熱接着部
４                            ４ピラータイプのガセット袋
２０                          積層体
２１                          第１熱接着性樹脂層
２２                          基材層
２３                          第２熱接着性樹脂層
【図１】
2004217236.tif 000003
【図２】
2004217236.tif 000004
【図３】
2004217236.tif 000005
【図４】
2004217236.tif 000006